【事件の表示】
　特許第２７３２９４１号「画像信号処理装置」の請求項１ないし２に係る特許に対する特許異議の申立てについて、次のとおり決定する。
【結　論】
　訂正を認める。
　特許第２７３２９４１号の請求項１ないし２に係る特許を維持する。
【理　由】
１．手続きの経緯
　特許２７３２９４１号の請求項１、２に係る発明（以下、「本件発明」という。）は、平成２年９月７日に特許出願され、平成９年１２月２６日にその特許の設定登録がなされ、その後、渡辺等より特許異議の申立てがなされ、取消理由通知がなされ、その指定期間内である平成１１年6月7日に訂正請求がされ、訂正拒絶理由が通知され、訂正拒絶理由に対して手続補正書（後日取下げ）が提出された後、再度訂正拒絶理由が通知され、再度の訂正拒絶理由に対して手続補正書が提出されものである。
　
２．訂正の適否についての判断
ア．訂正請求に対する補正の適否について
  特許権者は、訂正明細書の特許請求の範囲を特許請求の範囲の減縮および不明瞭な記載の釈明を目的として
「１．画像信号を入力する入力手段と、
　画像信号を記憶するメモリと、
　画像信号を圧縮符号化して記録媒体へ出力する圧縮符号化手段と、
　前記記録媒体から読み出された画像信号を伸長復号する伸長復号手段と、
　画像信号を画像表示装置へ出力する再生回路と、
　指示制御信号を受け、該受けた指示制御債号に基づいて前記メモリへの画像信号の入出力を一元的に制御するメモリ制御手段と、
　操作者の操作による指示信号を形成する操作手段と、
　該操作手段からの指示信号に応じた前記指示制御信号を形成して前記メモリ制御手段へ出力する制御手段とを有し、
　前記メモリ制御手段は、該制御手段からの指示制御信号に基づくとともに、１つの基準タイミング信号に基づいて前記画像信号の転送方向の切替制御を行なうフロー制御信号を形成するとともに、前記メモリへの画像信号の書き込みおよび読み出し用の制御信号を形成する制御信号形成手段と、
　前記入力手段、圧縮符号化手段、伸長復号手段、再生回路およびメモリからの画像信号を一時蓄積する双方向バッファ回路を有し、該制御信号形成手段からのフロー制御信号に基づいて前記入力手段あるいは伸長復号手段からの画像信号を該双方向バッファ回路に一時蓄積した後、前記メモリへの転送、または前記メモリからの画像信号を該双方向バッファ回路に一時蓄積した後、前記圧縮符号化手段あるいは再生回路への転送を行なうデータ制御手段と、
　前記制御信号形成手段からの前記メモリへの画像信号の書き込みおよび読み出し用の制御信号を一旦蓄積した後に、該蓄積した制御信号を前記メモリへ出力する制御信号バッファ手段とを含み、
　前記制御信号形成手段は、該制御信号バッファ手段を介して前記双方向バッファ回路から前記メモリに送られる画像信号の書き込み、前記メモリから前記双方向バッファ回路に送られる該メモリに記憶された画像信号の読み出しを制御することを特徴とする画像信号処理装置。
２．請求項１に記載の装置において、該装置はさらに、
　画像信号から輝度信号および色差信号を作成するとともに、前記双方向バッファ回路に接続される前記信号処理手段を有し、
　前記データ制御手段はさらに、前記制御信号形成手段からのフロー制御信号に基づいて該信号処理手段からの画像信号を該双方向バッファ回路に一時蓄積した後、前記メモリへの転送、または前記メモリからの画像信号を該双方向バッファ回路に一時蓄積した後、該信号処理手段への転送を行ない、前記制御信号形成手段はさらに、前記制御信号バッファ手段を介して前記メモリに記憶された画像信号の前記信号処理手段への読み出しおよび前記信号処理手段により処理された画像信号の前記メモリへの書き込みを制御することを特徴とする画像信号処理装置。」と補正し、さらに特許請求の範囲の補正に伴い訂正請求書中の「７．請求の理由　(3)訂正の要旨」及び「(4)請求の原因」を補正するものである。
　当該訂正請求に対する補正は、訂正請求書の要旨を変更するものではなく、平成６年改正法附則第６条第１項の規定によりなお従前の例によるとされる、平成１１年改正前の特許法第１２０条の４第３項において準用する平成６年改正法による改正前の特許法第１３１条第２項の規定に適合する。
　
イ．訂正の内容
(1)特許権者の請求する訂正は、特許請求の範囲請求項１において
　(i)画像信号処理装置が操作者の操作による指示信号を形成する「操作手段」と、操作手段からの指示信号に応じた指示制御信号を形成してメモリ制御手段へ出力する「制御手段」とを有すること
　(ii)制御信号形成手段が「制御手段からの指示制御信号に基づくとともに、１つの基準タイミング信号に基づいて画像信号の転送方向の切替制御を行なうフロー制御信号を形成するとともに、メモリへの画像信号の書き込みおよび読み出し用の制御信号を形成する」とともに、「形成した書き込みおよび読み出し用の制御信号を制御信号バッファ手段を介してメモリを制御する」こと
　(iii)メモリ制御手段が入力手段、圧縮符号化手段、伸長復号手段、再生回路およびメモリからの画像信号を一時蓄積する双方向バッファ回路を有し、制御信号形成手段からのフロー制御信号に基づいて入力手段あるいは伸長復号手段からの画像信号をこの双方向バッファ回路に一時蓄積した後、メモリへの転送、またはメモリからの画像信号をこの双方向バッファ回路に一時蓄積した後、圧縮符号化手段あるいは再生回路への転送を行なう「データ制御手段」と、制御信号形成手段からのメモリへの画像信号の書き込みおよび読み出し用の制御信号を一旦蓄積した後に、この蓄積した制御信号をメモリへ出力する「制御信号バッファ手段」とを有すること
　を限定し、請求項１を以下のようにするものである。
「１．画像信号を入力する入力手段と、
　画像信号を記憶するメモリと、
　画像信号を圧縮符号化して記録媒体へ出力する圧縮符号化手段と、
　前記記録媒体から読み出された画像信号を伸長復号する伸長復号手段と、
　画像信号を画像表示装置へ出力する再生回路と、
　指示制御信号を受け、該受けた指示制御債号に基づいて前記メモリへの画像信号の入出力を一元的に制御するメモリ制御手段と、
　操作者の操作による指示信号を形成する操作手段と、
　該操作手段からの指示信号に応じた前記指示制御信号を形成して前記メモリ制御手段へ出力する制御手段とを有し、
　前記メモリ制御手段は、該制御手段からの指示制御信号に基づくとともに、１つの基準タイミング信号に基づいて前記画像信号の転送方向の切替制御を行なうフロー制御信号を形成するとともに、前記メモリへの画像信号の書き込みおよび読み出し用の制御信号を形成する制御信号形成手段と、
　前記入力手段、圧縮符号化手段、伸長復号手段、再生回路およびメモリからの画像信号を一時蓄積する双方向バッファ回路を有し、該制御信号形成手段からのフロー制御信号に基づいて前記入力手段あるいは伸長復号手段からの画像信号を該双方向バッファ回路に一時蓄積した後、前記メモリへの転送、または前記メモリからの画像信号を該双方向バッファ回路に一時蓄積した後、前記圧縮符号化手段あるいは再生回路への転送を行なうデータ制御手段と、
　前記制御信号形成手段からの前記メモリへの画像信号の書き込みおよび読み出し用の制御信号を一旦蓄積した後に、該蓄積した制御信号を前記メモリへ出力する制御信号バッファ手段とを含み、
　前記制御信号形成手段は、該制御信号バッファ手段を介して前記双方向バッファ回路から前記メモリに送られる画像信号の書き込み、前記メモリから前記双方向バッファ回路に送られる該メモリに記憶された画像信号の読み出しを制御することを特徴とする画像信号処理装置。」
　
(2)特許権者の請求する訂正は、特許請求の範囲請求項２において
　(i)信号処理手段は、双方向バッファ回路に接続されること
　(ii)データ制御手段は、制御信号形成手段からのフロー制御信号に基づいて信号処理手段からの画像信号を双方向バッファ回路に一時蓄積した後、メモリへの転送、またはメモリからの画像信号を双方向バッファ回路に一時蓄積した後、信号処理手段への転送を行なうこと
　(iii)制御信号形成手段は、制御信号バッファ手段を介してメモリに記憶された画像信号の信号処理手段への読み出しおよび信号処理手段により処理された画像信号のメモリへの書き込みを制御すること
　を限定し、請求項２を以下のようにするものである。
「２．請求項１に記載の装置において、該装置はさらに、
　画像信号から輝度信号および色差信号を作成するとともに、前記双方向バッファ回路に接続される前記信号処理手段を有し、
　前記データ制御手段はさらに、前記制御信号形成手段からのフロー制御信号に基づいて該信号処理手段からの画像信号を該双方向バッファ回路に一時蓄積した後、前記メモリへの転送、または前記メモリからの画像信号を該双方向バッファ回路に一時蓄積した後、該信号処理手段への転送を行ない、前記制御信号形成手段はさらに、前記制御信号バッファ手段を介して前記メモリに記憶された画像信号の前記信号処理手段への読み出しおよび前記信号処理手段により処理された画像信号の前記メモリへの書き込みを制御することを特徴とする画像信号処理装置。」
　
ウ．訂正の目的の適否、新規事項の有無及び拡張・変更の存否
  上記イ．(1)(i)ないし(iii)及び(2)(i)ないし(iii)は、願書に添付した明細書（以下、「特許明細書」という。）７頁９行ないし８頁２行（公報４欄３６行ないし４８行）、特許明細書９頁７行ないし１１頁１４行（公報５欄２０行ないし６欄１１行）、特許明細書１３頁１１行ないし１４頁１２行（公報６欄４３行ないし７欄４行）に記載されている。
　そうすると、上記訂正は、特許請求の範囲の減縮に該当し、新規事項の追加に該当せず、また、実質的に特許請求の範囲を拡張又は変更するものではない。
　
エ．独立特許要件の判断
(1)引用刊行物
　当審が通知した取消理由並びに訂正拒絶理由で引用した刊行物１（特開昭６３‐３０９４４号公報）、刊行物２（特開昭５８‐１３０４１４号公報）、刊行物３（特開平２‐２０７６９１号公報）には次のことが記載されている。
　(i)刊行物１
　　画像データの格納、再生等を行う画像信号処理装置に関し、従来例の説明として第１頁左下欄第１７行〜右下欄第１３行、第２図に「光ディスク装置１、圧縮伸長処理部４、イメージスキャナ装置６のそれぞれに対してバッファメモリ（光ディスク入出力バッファメモリ３、圧縮伸長処理用バッファメモリ１０、イメージスキャナ入力バッファメモリ８）を設けていた」ということが開示されている。この従来例に対して、刊行物１の発明は、第２頁右上欄第１１行〜第１５行に「メモリ管理部とメモリ部を設け、メモリ管理部の指令によりメモリ部をＩ/０装置間との画像データ転送用入出力バッファメモリおよび圧縮伸長処理バッファメモリとして使用するようにしたものである。」と記載されている。第２頁左下欄第５行〜第３頁左上欄第１３行、第１図には実施例が記載されており、「イメージスキャナ装置１６、光ディスク装置１１、メモリ部１３、画像データの表示部１７、メモリ管理部１４等を備え、光ディスク装置１１に格納されているデータを表示する場合は、光ディスク制御部１１はメモリ管理部１４に対してメモリ部１３のどのアドレスに転送するか問い合わせ、画像データは指定されたメモリ部１３の所定アドレスに転送され、メモリ部１３で伸長処理されたデータは表示部に転送され表示される。紙に書かれた原稿を光ディスク装置１１ に格納する場合は、イメージスキャナ制御部１６はメモリ管理部１４に対してメモリ部１３のどのアドレスに転送するか問い合わせ、画像データは指定されたメモリ部１３の所定アドレスに転送され、メモリ部１３で圧縮処理されたデータは光ディスク装置１１に入力される。」ということが開示されている。
　(ii)刊行物２
　　電子カメラ等の画像信号の記録再生装置に関し、従来例の説明として第２頁左上欄第１行〜右上欄第１９行、第２図に「電子カメラ２０の磁気ディスク１２は再生装置２１に装着されて再生され、ダビング用のビデオディスク等の記録再生装置としてのディスクレコーダ３０を有する。再生装置２１ にはバッファメモリ２２とコントロ一ラ２３が設けられ、ディスクレコーダ３０にもバッファメモリ３２とコントローラ３３が設けられる。このように構成した場合には、磁気ディスク１２に対する再生系とディスクレコーダ３０の記録再生系との２つの系に、それぞれバッファメモリとコントロ−ラを設けねばならずコストアップになってしまう。」ということが開示されている。実施例及び効果として第２頁右上欄第２０行〜左下欄第１９行、第３頁左上欄第１３行〜第１９行、第３図に「再生装置２１とディスクレコーダ３０とに共通に使用するバッファメモリ４１と共通に制御するコントロ−ラ４２を設けることにより、システム制御が簡単になり構成の簡略化とコストダウンが図れる。」ということが開示されている。
　(iii)刊行物３
　　様々な画像データ源の画像データの入力、記憶、再生等が行える画像データ記録再生装置に関し、第３頁右下欄第２行〜第５頁左下欄、第１図、第２図に「フレームバッファ４０にはシステムバス５０が接続され、これに中央処理部５２が接続されている。中央処理部５２とメインメモリ５４は、本装置の各機能部を統括して制御する主制御装置を構成し、中央処理部５２は画像データの圧縮・伸長、色フィルタ配列に応じた画素の再配列処理、階調の逆補正、白バランスの逆調整等の画像処理も行う。システムバス５０には、キーボード５８、光ディスク装置６６、メモリーカード１４のカードインターフェース １８、フロッピーディスク６０のフロッピー駆動部６２等が接続されている。フロッピーディスク６０の画像データは中央処理部５２の制御の下にフレームバッファ４０に読み込まれる。これらの画像データは ＲＧＢ等の３原色信号、輝度／色差信号等様々な形をとるものであってよい。フレームバッファ４０に蓄積された画像データは、中央処理部５２の制御の下に画像処理が施される。中央処理部５２は、フレームバッファ４０から読み出す画像データが圧縮されていれば伸長処理を行う。フレームバッファ４０の画像データは、中央処理部５２の制御の下にカードインターフェース１８へ読み出されメモリーカード１４に記憶される。その際、データ圧縮した形で画像データを記憶してもよい。同様に、フレームバッファ４０から画像データを読み出し、光ディスク６６、フロッピーディスク６０ に書き込んでもよい。フレームバッファ４０に蓄積された画像データは、映像モニタ１６に可視画像として出力され、又は映像モニタと同等に接続されるプリンタやアナログ通信装置などの画像出力装置に出力される。中央処理部５２を含む本装置１０の処理システムが画像データ生成機能を有する場合は、これによって生成した画像データをフレームバッファ４０に格納してもよい。」ということが開示されている。
　
(2)対比・判断
　訂正明細書の請求項１に係る発明（以下、「請求項１の発明」という。）と上記刊行物１、上記刊行物２、上記刊行物３に記載の発明とを対比する。
　刊行物１、刊行物２、刊行物３に記載のいずれの発明にも、請求項１の発明を特定する事項である、「制御信号形成手段からの前記メモリへの画像信号の書き込みおよび読み出し用の制御信号を一旦蓄積した後に、該蓄積した制御信号を前記メモリへ出力する制御信号バッファ手段」が記載されておらず、また、示唆する記載もない。
　そして、上記刊行物１に記載の発明と上記刊行物２に記載の発明と上記刊行物３に記載の発明とをいかに組み合わせたとしても上記制御信号バッファ手段の構成は得られない。
　請求項１の発明は、当該手段により制御信号形成手段からのメモリへの画像信号の書き込みおよび読み出し用の制御信号のタイミングを調整できるという顕著な効果を奏するものであり、請求項１の発明が上記刊行物１、上記刊行物２、上記刊行物３に記載された発明に基いて容易に発明をすることができたものとはいえない。
　訂正明細書の請求項２に係る発明は、請求項１の発明を引用しているので、上記のとおり、上記刊行物１、上記刊行物２、上記刊行物３に記載された発明に基いて容易に発明をすることができたものとはいえない。
　したがって、本件発明は特許出願の際独立して特許を受けることができるものである。
　
オ．むすび
　以上のとおりであるから、上記訂正は平成６年改正法附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。
　
３．特許異議の申立てについての判断
ア．申立ての理由の概要
　申立人渡辺等は、本件発明は、甲第１号証（特開昭６３−３０９４４号公報）、甲第２号証（特開昭５８‐１３０４１４号公報）、甲第３号証（特開平２‐２０７６９１号公報）をもとに容易に発明をすることができたものであり、特許法第２９条第２項の規定により、特許を受けることができないものであるから、特許を取り消すべきと主張している。
　
イ．判断
　申立人の提出した甲第１号証は上記刊行物１、甲第２号証は上記刊行物２、甲第３号証は上記刊行物３であり、本件発明は、上記２．エのとおり、甲第１号証、甲第２号証、甲第３号証に記載された発明から容易に発明をすることができたものとすることはできない。
　
ウ．むすび
　以上のとおりであるから、特許異議申立ての理由及び証拠によっては、本件発明についての特許を取り消すことができない。
　また、他に本件発明に係る特許を取り消すべき理由を発見しない。
　よって、平成６年改正法附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年４月２６日（２０００．４．２６）
【訂正の要旨】
（３）訂正の要旨
（ｉ）訂正事項ａ
　本件請求人が平成９年３月２４日付提出した手続補正書により補正された特許請求の範囲第１項の記載
「１．画像信号を入力する入力手段と、
　画像信号を記憶するメモリと、
　画像信号を圧縮符号化して記録媒体へ出力する圧縮符号化手段と、
　前記記録媒体から読み出された画像信号を伸長復号する伸長復号手段と、
　画像信号を画像表示装置へ出力する再生回路と、
　前記メモリへのアクセスを一元的に管理し、該管理に基づいて前記メモリへの画像信号の入出力を制御するメモリ制御手段とを有し、
　該メモリ制御手段は、１つの基準タイミング信号に基づいて前記メモリへの画像信号の書き込みおよび読み出し用の制御信号を形成する制御信号形成手段を含み、
　該制御信号形成手段は、前記入力手段から入力された画像信号の前記メモリへの書き込み、前記メモリに記憶された画像信号の前記圧縮符号化手段への読み出し、前記伸長復号手段から送られた画像信号の前記メモリへの書き込み、および前記メモリに記憶された画像信号の前記再生回路への読み出しを制御することを特徴とする画像信号処理装置。」を
「１．画像信号を入力する入力手段と、
　画像信号を記憶するメモリと、
　画像信号を圧縮符号化して記録媒体へ出力する圧縮符号化手段と、
　前記記録媒体から読み出された画像信号を伸長復号する伸長復号手段と、
　画像信号を画像表示装置へ出力する再生回路と、
　
指示制御信号を受け、該受けた指示制御信号に基づいて
一元的に
、
　
操作者の操作による指示信号を形成する操作手段と、
　
該操作手段からの指示信号に応じた前記指示制御信号を形成して前記メモリ制御手段へ出力する制御手段とを有し、
　
前記
該制御手段からの指示卸御信号に基づくとともに、
前記画像信号の転送方向の切替制御を行なうフロー制御信号を形成するとともに、
と、
　
前記入力手段、圧縮符号化手段、伸長復号手段、再生回路およびメモリからの画像信号を一時蓄積する双方向バッファ回路を有し、該制御信号形成手段からのフロー制御信号に基づいて前記入力手段あるいは伸長復号手段からの画像信号を該双方向バッファ回路に一時蓄積した後、前記メモリへの転送、または前記メモリからの画像信号を該双方向バッファ回路に一時蓄積した後、前記圧縮符号化手段あるいは再生回路への転送を行なうデータ制御手段と、
　
前記制御信号形成手段からの前記メモリへの画像信号の書き込みおよび読み出し用の制御信号を一日蓄積した後に、該蓄積した制御信号を前記メモリへ出力する制御信号バッファ手段とを含み、
　
前記
該制御信号バッファ手段を介して
双方向バッファ回路
ら前
に送られる画像信号の
から前記双方向バッファ回路に送られる該メモリ
の読
しを
（ｉｉ）訂正事項ｂ
　本件請求人が平成９年３月２４日付提出した手続補正書により補正された特許請求の範囲第２項の記載
「２．請求項１に記載の装置において、該装置はさらに、
　画像信号から輝度信号および色差信号を作成する信号処理手段を有し、
　前記制御信号形成手段は、前記メモリに記憶された画像信号の前記信号処理手段への読み出しおよび前記信号処理手段により処理された画像信号の前記メモリヘの書き込みを制御することを特徴とする画像信号処理装置。」を
「２．請求項１に記載の装置において、該装置はさらに、
　画像信号から輝度信号および色差信号を作成する
とともに、前記双方向バッファ回路に接続される
　
前記データ制御手段はさらに、前記制御信号形成手段からのフロー制御信号に基づいて該信号処理手段からの画像信号を該双方向バッファ回路に一時蓄積した後、前記メモリへの転送、または前記メモリからの画像信号を該双方向バッファ回路に一時蓄積した後、該信号処理手段への転送を行ない、
さらに
前記制御信号バッファ手段を介して
（５４）【発明の名称】
画像信号処理装置
（５７）【特許請求の範囲】
１．画像信号を入力する入力手段と、
　画像信号を記憶するメモリと、
　画像信号を圧縮符号化して記録媒体へ出力する圧縮符号化手段と、
　前記記録媒体から読み出された画像信号を伸長復号する伸長復号手段と、
　画像信号を画像表示装置へ出力する再生回路と、
　
指示制御信号を受け、該受けた指示制御信号に基づいて
一元的に
、
　
操作者の操作による指示信号を形成する操作手段と、
　
該操作手段からの指示信号に応じた前記指示制御信号を形成して前記メモリ制御手段へ出力する制御手段とを有し、
　
前記
該制御手段からの指示制御信号に基づくとともに、
前記画像信号の転送方向の切替制御を行なうフロー制御信号を形成するとともに、
、
　
前記入力手段、圧縮符号化手段、伸長復号手段、再生回路およびメモリからの画像信号を一時蓄積する双方向バッファ回路を有し、該制御信号形成手段からのフロー制御信号に基づいて前記入力手段あるいは伸長復号手段からの画像信号を該双方向バッファ回路に一時蓄積した後、前記メモリへの転送、または前記メモリからの画像信号を該双方向バッファ回路に一時蓄積した後、前記圧縮符号化手段あるいは再生回路への転送を行なうデータ制御手段と、
　
前記制御信号形成手段からの前記メモリへの画像信号の書き込みおよび読み出し用の制御信号を一日蓄積した後に、該蓄積した制御信号を前記メモリへ出力する制御信号バッファ手段とを含み、
　
前記
該制御信号バッファ手段を介して
双方向バッファ回路
ら前
に送られる画像信号の
から前記双方向バッファ回路に送られる該メモリ
の読
しを
２．請求項１に記載の装置において、該装置はさらに、
　画像信号から輝度信号および色差信号を作成する
とともに、前記双方向バッファ回路に接続される
　
前記データ制御手段はさらに、前記制御信号形成手段からのフロー制御信号に基づいて該信号処理手段からの画像信号を該双方向バッファ回路に一時蓄積した後、前記メモリへの転送、または前記メモリからの画像信号を該双方向バッファ回路に一時蓄積した後、該信号処理手段への転送を行ない、
さらに
前記制御信号バッファ手段を介して
【発明の詳細な説明】
技術分野
　本発明は画像信号処理装置に関し、とくにデータ圧縮された画像信号をメモリカードなどの画像信号記録媒体に記録するとともに、記録媒体から読み出した画像信号を伸長再生する、記録再生兼用の装置に使用される画像信号処理装置に関する。
背景技術
　電子スチルカメラは、周知のように固体撮像デバイスにより撮像された画像信号をメモリカードなどの記録媒体に記録する。その場合に画像信号はデータ量が多いため、撮像された画像信号をたとえば直交変換し、量子化し、符号化した後、記録媒体に記録することが行われている。
　再生機能をも有する電子スチルカメラの場合には、記録媒体に記録された画像信号を読み出して伸長復号し、表示装置により再生する。
　このような記録再生兼用の電子スチルカメラにおいては、たとえば撮像素子の画素配列によるフィールド画像信号として撮像された画像を、圧縮処理前にフレーム画像信号に変換する必要がある。そのため、画像信号を一旦メモリに記憶してフレーム画像信号として読み出す必要がある。
　また、フレーム画像信号として読み出された撮像素子の画素配列による画像信号から、輝度信号Ｙ、色差信号Ｒ−Ｙ，Ｂ−Ｙを作成するため、ＹＣ処理回路により処理することが要求される。ＹＣ処理回路により作成された輝度信号Ｙ、色差信号Ｒ−Ｙ，Ｂ−Ｙは再びメモリに記憶された後、圧縮符号化される。圧縮符号化においては、１画面を構成する画像データを複数のブロックに分けて圧縮符号化するため、ブロックごとの読み出しが可能なようにメモリからの読み出しを制御する必要がある。
　さらに、記録媒体から読み出した画像信号を伸長復号した場合にも、複数のブロックを合成して元の画面の画像信号を構成するため、一旦メモリに記憶して読み出す必要がある。さらに、復号された画像信号を表示装置により再生するために再生回路によって処理する場合にも、復号された画像信号の読み出しを制御する必要がある。
　このように、画像信号をメモリに書き込みまたは読み出す動作を種々の形式の画像データについて行う必要があり、それぞれ書き込みおよび読み出しの制御が異なるため、複数のメモリを必要としていた。
目　的
　本発明はこのような従来技術の欠点を解消し、１個のメモリによって各種の画像データの書き込みまたは読み出し処理を行うことのできる画像信号処理装置を提供することを目的とする。
発明の開示
　本発明によれば、画像信号を入力する入力手段と、画像信号を記憶するメモリと、画像信号を圧縮符号化して記録媒体へ出力する圧縮符号化手段と、記録媒体から読み出された画像信号を伸長復号する伸長復号手段と、画像信号を画像表示装置へ出力する再生回路と、メモリへの画像信号の入出力を制御するメモリ制御手段とを有し、メモリ制御手段は、メモリに記憶された画像信号の圧縮符号化手段への読み出し、伸長復号手段から送られた画像信号のメモリへの書き込み、およびメモリに記憶された画像信号の再生回路への読み出しを制御するものである。
実施例の説明
　次に添付図面を参照して本発明による画像信号処理装置の実施例を詳細に説明する。
　第１図には本発明を録画再生兼用のディジタル電子スチルカメラに適用した一実施例が示されている。
　本装置は、光学レンズ１０から入射される被写体の像を撮像して得た映像信号をデータ圧縮してメモリカード２２に記録し、また映像モニタ３２に可視画像として再生する装置である。また、メモリカード２２に記録されている画像信号を読み出して伸長復号し、これを映像モニタ３２に再生する装置である。
　メモリカード２２は、画像信号を記憶保持可能な状態で蓄積する半導体記憶装置である。しかし本発明は、これのみに限定されず、メモリカード２２の代りに磁気ディスクや光ディスクなどの他のファイル記憶装置にも効果的に適用される。
　撮像素子１２は光学レンズ１０から入射される被写体の像を撮像して映像信号を出力する。撮像素子１２は、たとえばＲＧＢセグメント配列カラーフィルタの単板式固体撮像デバイスである。撮像素子１２の出力は前処理回路１４に接続されている。前処理回路１４は撮像素子１２から入力された映像信号について白バランス調整や階調補正などの前処理を行う。前処理回路１４の出力はＡＤ変換回路１６に接続されている。ＡＤ変換回路１６は入力されたアナログの映像信号を対応するディジタルの信号に変換する。
　ＡＤ変換回路１６の出力はメモリコントローラ１８に接続されている。メモリコントローラ１８は、フレームメモリ２８への書き込みおよびフレームメモリ２８からの読み出しを制御する。これにより後述するように、ＡＤ変換回路１６から送られるフィールド信号の映像信号をフレームメモリ２８に書き込み、フレーム信号として読み出してＹＣ処理回路２４により後述するＹＣ処理を行い、再びフレームメモリ２８に書き込む。さらに、画面を複数のブロックに分割して読み出して圧縮伸長回路２０へ送り、圧縮符号化し、メモリカード２２へ出力する。また、メモリカード２２から読み出され圧縮伸長回路２０により伸長復号された映像信号をフレームメモリ２８に一旦書き込み、これを読み出して再生回路へ送り、映像モニタ３２に可視画像として再生する。
　ＹＣ処理回路２４は、フレームメモリ２８からの撮像素子１２の画素配列に応じた映像信号から輝度信号Ｙおよび色差信号Ｒ−Ｙ，Ｂ−Ｙを形成する回路である。作成された輝度信号Ｙおよび色差信号Ｒ−Ｙ，Ｂ−Ｙは、フレームメモリ２８に再び記憶された後、１画面が複数のブロックに分割されて読み出され、圧縮伸長回路２０へ出力される。圧縮伸長回路２０は、ブロックごとに送られる輝度信号Ｙおよび色差信号Ｒ−Ｙ，Ｂ−Ｙをそれぞれ圧縮符号化する。圧縮符号化はたとえば、ブロックごとの画像信号を２次元直交変換、正規化およびハフマン符号化することにより行われる。圧縮伸長回路２０により圧縮符号化された画像信号は、輝度信号Ｙおよび色差信号Ｒ−Ｙ，Ｂ−Ｙごとにメモリカード２２に記録される。
　再生回路２６は輝度信号Ｙおよび色差信号Ｒ−Ｙ，Ｂ−Ｙを同時化してたとえばＲＧＢ信号に変換する回路である。再生回路２６によって変換された映像信号は映像モニタ３２に出力され、可視画像が映像モニタ３２に再生される。なお再生回路２６は、ＮＴＳＣフォーマットによる輝度、色差信号の形で映像信号を出力するものであってもよい。いずれにせよ、この回路２６は、映像モニタ３２に映像をソフトコピーの形で出力するように構成されている。
　全体制御部３０は本装置の各機能部を制御する制御部であり、特に図示しない操作部からの指示入力に応じてメモリコントローラ１８に各種の指示を出力する。
　第２図にはメモリコントローラ１８の構成が示されている。メモリコントローラ１８はデータ制御回路４２および双方向バッファ回路４０を有し、ＡＤ変換回路１６から入力された画像データはデータ制御回路４２、双方向バッファ回路４０を通してフレームメモリ２８へ送られ、また、フレームメモリ２８から読み出された画像データは双方向バッファ回路４０、データ制御回路４２を通してＹＣ処理回路２４、再生回路２６へ送られる。メモリコントローラ１８はまた、制御部４８を有する。制御部４８はメモリコントローラ１８の各機能部を制御する制御部であり、全体制御部３０から送られる制御信号によりタイミング制御回路５０、アドレス発生回路４６、読出書込制御回路５２およびデータ制御回路４２の動作を制御する。
　タイミング制御回路５０は、各機能部で必要となるタイミング信号をたとえば２８ＭＨｚの信号から分周して作成する。アドレス発生回路４６は、種々の画像データをフレームメモリ２８に書き込むためのアドレスを画像データに応じて発生する。すなわち、ＡＤ変換回路１６から入力される、撮像素子の画素配列によるフィールド信号の画像データをフレームメモリ２８に書き込むためのアドレス、このように書き込まれた画像データをＹＣ処理回路２４へ送るためにフレーム信号として読み出すためのアドレス、ＹＣ処理回路２４から送られる輝度信号Ｙ、色差信号Ｒ−Ｙ，Ｂ−Ｙをフレームメモリ２８に書き込むためのアドレス、このように書き込まれた画像データを圧縮伸長回路２０へ送るために輝度信号Ｙ、色差信号Ｒ−Ｙ，Ｂ−Ｙのデータをブロックごとに読み出すためのアドレス、さらに圧縮伸長回路２０から送られる伸長復号されたブロックごとの輝度信号Ｙ、色差信号Ｒ−Ｙ，Ｂ−Ｙのデータをフレームメモリ２８に書き込むためのアドレス、このように書き込まれた画像データを再生回路２６へ送るために読み出すためのアドレスをそれぞれ出力する。
　読出書込制御回路５２は、制御部４８から送られる制御信号に応じてタイミング制御回路５０から送られるタイミング信号を基に読み出しおよび書き込みのための制御信号を発生する。バッファ回路４４はアドレス発生回路４６から送られるアドレス信号および読出書込制御回路５２から送られる読み出しおよび書き込みのための制御信号を一旦蓄積し、フレームメモリ２８へ送出する。
　本装置によれば、撮影記録時には被写体の像が光学レンズ１０から入射され撮像素子１２により撮像される。撮像素子１２から出力された映像信号は前処理回路において白バランス調整や階調補正などの前処理を行われた後、ＡＤ変換回路１６でディジタル信号に変換され、メモリコントローラ１８に送られる。メモリコントローラ１８に送られた撮像素子の画素配列によるフィールド信号の画像データはメモリコントローラ１８により制御され、フレームメモリ２８に記憶される。フレームメモリ２８に記憶された画像データはメモリコントローラ１８の制御によりフレーム信号として読み出され、ＹＣ処理回路２４に送られる。
　ＹＣ処理回路２４において撮像素子の画素配列による画像データから輝度信号Ｙ、色差信号Ｒ−Ｙ，Ｂ−Ｙの画像データが作成され、メモリコントローラ１８の制御によりフレームメモリ２８に記憶される。フレームメモリ２８に記憶された画像データはメモリコントローラ１８の制御により１画面の画像データを複数のブロックに分割し、各ブロックごとに輝度信号Ｙ、色差信号Ｒ−Ｙ，Ｂ−Ｙの画像データが読み出され、圧縮伸長回路２０に送られる。圧縮伸長回路２０においてブロックごとの画像データは圧縮符号化され、メモリカード２２に記録される。
　一方、読出再生時にはメモリカード２２に記録された画像データが読み出されて、圧縮伸長回路２０に送られ伸長復号される。伸長復号されたブロックごとの画像データは、メモリコントローラ１８の制御によりフレームメモリ２８に記憶される。フレームメモリ２８に記憶された画像データは読み出されて再生回路２６へ送られ、たとえばＲＧＢ信号に変換されて映像モニタ３２に送られ、可視画像が再生される。
　上記の動作におけるフレームメモリ２８への書き込みおよびフレームメモリ２８からの読み出しは、メモリコントローラ１８によって次のように制御される。図示しない操作部から操作者によって入力された指示に応じて、全体制御部３０からメモリコントローラ１８の制御部４８に制御信号が送られる。これにより、制御部４８はデータ制御回路４２、アドレス発生回路４６、タイミング制御回路５０および読出書込制御回路５２に制御信号を出力する。ＡＤ変換回路１６からデータ制御回路４２に送られた画像データ、またはフレームメモリ２８から双方向バッファ回路４０を通してデータ制御回路４２に送られた画像データは制御部４８からの制御信号に応じてフローが制御され、双方向バッファ回路４０を通してＹＣ処理回路２４、再生回路２６、またはフレームメモリ２８に送られる。
　フレームメモリ２８に画像データが送られる場合には、制御部４８からの制御信号によりアドレス発生回路４６からアドレスが発生され、バッファ回路４４を通してフレームメモリ２８へ送られる。また、制御部４８からの制御信号によりタイミング制御回路５０から出力されたタイミング信号に基づき読出書込制御回路５２から読み出しまたは書き込みの制御信号が送られ、バッファ回路４４を通してフレームメモリ２８へ送られる。
　本装置によれば、このようにメモリコントローラ１８の制御によってそれぞれの画像データのフレームメモリ２８への書き込みおよびフレームメモリ２８からの書き込み読み出しが制御される。したがって、画像データを種々の形式でフレームメモリ２８へ書き込み、またはフレームメモリ２８から読み出す場合にも、書き込みまたは読み出しのアドレスなどの制御が異なるごとに別々のメモリを用意する必要がない。このため、メモリを少なくすることによって装置を小型化することができるから、再生機能を内蔵した装置においても回路量の増大を防ぐことができる。
効　果
　本発明によれば、メモリ制御手段によってメモリへの画像データの入出力を制御するから、メモリの容量を少なくすることができ、装置を小型化することができる。
【図面の簡単な説明】
　第１図は本発明を録画再生兼用のディジタル電子スチルカメラに適用した一実施例を示すブロック図、
　第２図は第１図のメモリコントローラを示すブロック図である。
　
主要部分の符号の説明
　１８．．．メモリコントローラ
　２０．．．圧縮伸長回路
　２４．．．ＹＣ処理回路
　２６．．．再生回路
　２８．．．フレームメモリ